(57)【要約】【課題】新聞紙に印刷された原稿画像における視覚上の文字の鮮明さの低下を防止できるようにする。【解決手段】入力された画像データが文字原稿の画像データであるか否かを判定する原稿種別自動判別部１３と、入力された画像データが新聞原稿の画像データであるか否かを判定する新聞原稿判別部１４と、入力された画像データにおける下地領域を判別する領域分離処理部１６と、入力された画像データが文字原稿でありかつ新聞原稿でなく、その画像データに対して下地除去処理を行う場合に、第１の下地除去処理を行う一方、入力された画像データが文字原稿でありかつ新聞原稿である場合に前記第１の下地除去処理を行わない色補正部１７とを備えている。【選択図】図１
2008205652.tif 000002
【特許請求の範囲】
【請求項１】
入力された画像データが文字原稿の画像データであるか否かを判定する原稿種別判別手段と、
入力された画像データが新聞原稿の画像データであるか否かを判定する新聞原稿判別手段と、
入力された画像データにおける下地領域を判別する下地領域判別手段と、
入力された画像データが文字原稿でありかつ新聞原稿でなく、その画像データに対して下地除去処理を行う場合に、第１の下地除去処理を行う一方、入力された画像データが文字原稿でありかつ新聞原稿である場合に前記第１の下地除去処理を行わない下地処理手段とを備えていることを特徴とする画像処理装置。
【請求項２】
前記下地処理手段は、入力された画像データが文字原稿でありかつ新聞原稿であり、その画像データに対して下地を除去する場合に、前記第１の下地除去処理よりも文字のエッジ部の濃度変化がなだらかとなるように処理する第２の下地除去処理を行うことを特徴とする請求項１に記載の画像処理装置。
【請求項３】
前記第１の下地除去処理は、原稿種別に応じて色補正特性を切り替えて下地を除去する自動露光処理であることを特徴とする請求項１に記載の画像処理装置。
【請求項４】
前記新聞原稿判別手段は、網点領域の線数が新聞原稿としての所定値である場合に、入力された画像データを新聞原稿の画像データと判定することを特徴とする請求項１に記載の画像処理装置。
【請求項５】
ユーザによる入力操作が可能な入力手段を備え、
前記新聞原稿判別手段は、前記入力手段からの入力により、入力された画像データを新聞原稿の画像データと判定することを特徴とする請求項１に記載の画像処理装置。
【請求項６】
前記下地処理手段の後段に、前記原稿の画像データに対してフィルタ処理を行うフィルタ処理手段を備え、
このフィルタ処理手段は、前記原稿の画像データが新聞原稿である場合に、文字領域に対してフィルタ処理を行う一方、文字以外の領域に対してフィルタ処理を行わないことを特徴とする請求項１に記載の画像処理装置。
【請求項７】
請求項１から６のいずれか１項に記載の画像処理装置を備え、この画像処理装置から出力された画像データに基づいて印刷を行うことを特徴とする画像形成装置。
【請求項８】
請求項１から６のいずれか１項に記載の画像処理装置の前記の各手段としてコンピュータを機能させるためのプログラム。
【請求項９】
請求項８に記載のプログラムを記録したコンピュータ読み取り可能な記録媒体。
【請求項１０】
入力された画像データが文字原稿の画像データであるか否かを判定する工程と、
入力された画像データが新聞原稿の画像データであるか否かを判定する工程と、
入力された画像データにおける下地領域を判別する工程と、
入力された画像データが文字原稿でありかつ新聞原稿である場合に第１の下地除去処理を行わず、入力された画像データが文字原稿でありかつ新聞原稿でなく、その画像データに対して下地除去処理を行う場合に、前記第１の下地除去処理を行う工程とを備えていることを特徴とする画像処理方法。
【発明の詳細な説明】
【技術分野】
【０００１】
本発明は、入力画像データを処理する画像処理方法、画像処理装置、画像形成装置、プログラムおよび記録媒体に関するものである。
【背景技術】
【０００２】
電子写真プロセスやインクジェット方式を用いた複写機やプリンタなどの画像形成装置は、デジタル画像処理技術の進展によって、カラー画像を高画質に再現するフルカラーのデジタル複写機・複合機などが製品化されている。
【０００３】
これら画像形成装置において、原稿画像についての良好な再現画像を得るためには、それぞれの原稿画像の種類に適合した画像処理を行う必要がある。このために、画像形成装置では、処理する入力画像データに対して複数の領域に分離する領域分離処理を行っている。
【０００４】
例えば、特許文献１には、入力画像データの各画素を網点領域、文字領域、印画紙写真領域、下地領域およびこれら領域の何れに属するかを判定できない不定領域に分離することが開示されている。なお、下地領域については、画像の明度が一定以上の背景部分であるため、明度に基づいて分離される。
【０００５】
また、特許文献２には、下地領域に分離された領域に対して、自動露光処理により下地濃度を除去することが開示されている。なお、上記の自動露光処理は原稿種別を判別し、原稿種別に応じて色補正特性を切り替えることにより、最適画質を得る手法である。
【０００６】
上記従来の構成では、下地除去処理を行うことにより、文字を有する画像において、文字を鮮明に再現できるようにしている。さらに、一連の処理として、黒生成処理、下地除去処理（ＵＣＲ）およびフィルタ処理（エッジ強調処理）を行い、下地上の文字は文字周辺の下地が抜けて白くならないようにしている。
【特許文献１】特開２００４−２７２５５７号公報（平成１６年９月３０日公開）
【特許文献２】特開２００１−２８５６３５号公報（平成１３年１０月１２日公開）
【発明の開示】
【発明が解決しようとする課題】
【０００７】
上記のように、単純に下地除去処理を行うことにより、新聞を除く一般の印刷物では、画像形成装置により印刷した画像において、視覚上の文字の鮮明さを高めることができる。これは、新聞を除く一般の印刷物では、文字のエッジ部の濃度変化が鮮明であることによる。
【０００８】
しかしながら、処理する画像が新聞紙に印刷された画像では、下地除去処理を行った場合に、却って視覚上における文字の鮮明さが低下するという問題点を有している。これは次の理由による。すなわち、新聞紙などの再生紙は紙質が荒いので、そこに印刷された文字はエッジ部の濃度変化領域が広く、エッジ部がぼやけた状態となっている。このため、灰色がかった下地色を除去すると、却って文字のエッジ部のぼやけ状態が強調されてしまうことになる。
【０００９】
したがって、本発明は、新聞紙に印刷された原稿画像における視覚上の文字の鮮明さの低下を防止することができる画像処理方法、画像処理装置、画像形成装置、プログラムおよび記録媒体の提供を目的としている。
【課題を解決するための手段】
【００１０】
本発明の画像処理装置は、上記課題を解決するために、本発明の画像処理装置は、入力された画像データが文字原稿の画像データであるか否かを判定する原稿種別判別手段と、入力された画像データが新聞原稿の画像データであるか否かを判定する新聞原稿判別手段と、入力された画像データにおける下地領域を判別する下地領域判別手段と、入力された画像データが文字原稿でありかつ新聞原稿でなく、その画像データに対して下地除去処理を行う場合に、第１の下地除去処理を行う一方、入力された画像データが文字原稿でありかつ新聞原稿である場合に前記第１の下地除去処理を行わない下地処理手段とを備えていることを特徴としている。
【００１１】
また、本発明の画像処理方法は、入力された画像データが文字原稿の画像データであるか否かを判定する工程と、入力された画像データが新聞原稿の画像データであるか否かを判定する工程と、入力された画像データにおける下地領域を判別する工程と、入力された画像データが文字原稿でありかつ新聞原稿である場合に第１の下地除去処理を行わず、入力された画像データが文字原稿でありかつ新聞原稿でなく、その画像データに対して下地除去処理を行う場合に、前記第１の下地除去処理を行う工程とを備えていることを特徴としている。
【００１２】
上記の構成によれば、入力された画像データが文字原稿でありかつ新聞原稿（新聞（文字）原稿）である場合には、文字原稿に対して一般に行われている下地除去処理（第１の下地除去処理）が行われない。したがって、紙質が荒く灰色がかった再生紙であるために、文字のエッジ部がぼやけた状態となっている新聞（文字）原稿において、灰色がかった下地色を除去したために却って文字のエッジ部のぼやけ状態が強調されてしまう事態が生じず、新聞（文字）原稿における視覚上における文字の鮮明さの低下を防止することができる。
【００１３】
上記の画像処理装置において、前記下地処理手段は、入力された画像データが文字原稿でありかつ新聞原稿であり、その画像データに対して下地を除去する場合に、前記第１の下地除去処理よりも文字のエッジ部の濃度変化がなだらかとなるように処理する第２の下地除去処理を行う構成としてもよい。
【００１４】
上記の構成によれば、入力された画像データが文字原稿でありかつ新聞原稿（新聞（文字）原稿）であり、その画像データに対して下地を除去する場合には、第２の下地除去処理が行われる。この第２の下地除去処理は、文字原稿に対して一般に行われている第１の下地除去処理よりも文字のエッジ部の濃度変化がなだらかとなるように処理するものである。したがって、新聞（文字）原稿における灰色の下地色を除去できるとともに、文字のエッジ部のぼやけ状態が強調されてしまう事態が生じず、新聞（文字）原稿における視覚上における文字の鮮明さを向上することができる。
【００１５】
上記の画像処理装置において、前記第１の下地除去処理は、原稿種別に応じて色補正特性を切り替えて下地を除去する自動露光処理である構成としてもよい。
【００１６】
上記の構成によれば、第１の下地除去処理として従来周知の自動露光処理を適用することができる。
【００１７】
上記の画像処理装置において、前記新聞原稿判別手段は、網点領域の線数が新聞原稿としての所定値である場合に、入力された画像データを新聞原稿の画像データと判定する構成としてもよい。
【００１８】
上記の構成によれば、網点領域の線数を検出することにより、新聞原稿か否かの判別を容易に行うことができる。
【００１９】
上記の画像処理装置は、ユーザによる入力操作が可能な入力手段を備え、前記新聞原稿判別手段は、前記入力手段からの入力により、入力された画像データを新聞原稿の画像データと判定する構成としてもよい。
【００２０】
上記の構成によれば、文字領域のみの原稿では線数の検出による新聞原稿の判別が困難となるものの、この場合であってもユーザ入力に基づいて新聞原稿を判別可能となる。
【００２１】
上記の画像処理装置は、前記下地処理手段の後段に、前記原稿の画像データに対してフィルタ処理を行うフィルタ処理手段を備え、このフィルタ処理手段は、前記原稿の画像データが新聞原稿である場合に、文字領域に対してフィルタ処理を行う一方、文字以外の領域に対してフィルタ処理を行わない構成としてもよい。
【００２２】
上記の構成によれば、原稿の画像データが新聞原稿である場合に、文字領域に対してフィルタ処理を行う一方、文字以外の領域に対してフィルタ処理を行わない。このように、新聞原稿の文字以外の領域に対しいてはフィルタ処理を行わない方が画質の低下を防止することができる。
【発明の効果】
【００２３】
本発明の構成によれば、紙質が荒く灰色がかった再生紙であるために、文字のエッジ部がぼやけた状態となっている新聞（文字）原稿において、灰色がかった下地色を除去したために却って文字のエッジ部のぼやけ状態が強調されてしまう事態が生じず、新聞（文字）原稿における視覚上における文字の鮮明さの低下を防止することができる。
【発明を実施するための最良の形態】
【００２４】
本発明の実施の一形態について説明すれば、以下の通りである。なお、本実施の形態では、本発明の画像処理装置をデジタルカラー複写機に適用した場合について説明する。
【００２５】
図１は、本発明のカラー画像処理装置を適用したデジタルカラー複写機の概略構成を示すブロック図である。本実施の形態に係るデジタルカラー複写機は、図１に示すように、カラー画像入力装置１、カラー画像処理装置２、カラー画像出力装置３および操作パネル４（入力手段）を備えている。カラー画像処理装置２は、Ａ／Ｄ変換部１１、シェーディング補正部１２、原稿種別自動判別部（原稿種別判別手段）１３、新聞原稿判別部（新聞原稿判別手段）１４、入力階調補正部１５、領域分離処理部（下地領域判別手段）１６、色補正部１７、黒生成下色除去部１８、空間フィルタ処理部（フィルタ処理手段）１９、出力階調補正部２０および階調再現処理部２１を備えている。
【００２６】
カラー画像入力装置１は、例えばＣＣＤ（Charge Coupled Device ）を備えたスキャナ部（図示せず）により構成され、原稿からの反射光像を、ＲＧＢ（Ｒ：赤・Ｇ：緑・Ｂ：青）のアナログ信号としてＣＣＤにて読み取って、カラー画像処理装置２に入力するものである。
【００２７】
カラー画像入力装置１にて読み取られたアナログ信号は、カラー画像処理装置２内を、Ａ／Ｄ変換部１１、シェーディング補正部１２、原稿種別自動判別部１３、新聞原稿判別部１４、入力階調補正部１５、領域分離処理部１６、色補正部１７、黒生成下色除去部１８、空間フィルタ処理部１９、出力階調補正部２０および階調再現処理部２１の順に送られ、ＣＭＹＫのデジタルカラー信号としてカラー画像出力装置３へ出力される。
【００２８】
Ａ／Ｄ（アナログ／デジタル）変換部１１は、ＲＧＢのアナログ信号をデジタル信号に変換する。
【００２９】
シェーディング補正部１２は、Ａ／Ｄ変換部１１より送られてきたデジタルのＲＧＢ信号に対して、カラー画像入力装置１の照明系、結像系、撮像系で生じる各種の歪みを取り除く処理を施す。また、シェーディング補正部１２ではカラーバランスの調整を行う。ここでのシェーディング補正は例えば基準白板を読み取ることにより行われる。
【００３０】
原稿種別自動判別部１３は、シェーディング補正部１２から出力されたＲＧＢ信号（ＲＧＢの反射率信号）を濃度信号などカラー画像処理装置２に採用されている画像処理システムの扱い易い信号に変換するとともに、原稿種別の判別を行う。この原稿種別の判別においては、画像信号の最大濃度差と総和濃度頻度とを求め、これら両者の関係より、各画素の属する領域が、下地領域、印画紙領域（写真領域）、網点領域または文字領域の何れであるか判別する。
【００３１】
ここで、原稿種別自動判別部１３による原稿種別判別動作について詳細に説明する。図２（ａ）〜図２（ｄ）は、下地、印画紙写真、網点および文字の各領域における画素濃度の分布の例である。また、上記の各領域の最大濃度差と総和濃度繁雑度とを指標とした分布を図３に基づいて説明する。なお、総和濃度繁雑度と最大濃度差との関係において総和濃度繁雑度が最大濃度差以下となることはなく、図３における最大濃度差＝総和濃度繁雑度以下の領域は、画素が存在しない領域を示している。
【００３２】
下地領域は、図２（ａ）に示すように、通常、濃度変化が少ないため、最大濃度差および総和濃度繁雑度ともに非常に小さくなり、図３に示す領域Ａに分布している。したがって、下地・印画紙領域に属すると判別された画素であって下地・印画紙判定閾値よりも最大濃度差が小さい画素は、下地画素であると判別することが可能である。
【００３３】
印画紙写真領域は、図２（ｂ）に示すように、通常、滑らかな濃度変化をしており、最大濃度差および総和濃度繁雑度がともに小さく、かつ、下地領域よりも多少大きくなるため、図３に示す領域Ｂに分布している。したがって、下地領域・印画紙領域に属すると判別された画素であって下地・印画紙判定閾値よりも最大濃度差が大きいブロックの画素（注目画素）は、印画紙領域に属するものであると判別することが可能である。
【００３４】
網点領域は、図２（ｃ）に示すように、最大濃度差が網点によりさまざまであるものの、網点の数だけ濃度変化が存在するので、最大濃度差に対する総和濃度繁雑度の割合が大きくなる。このため、図３に示す領域Ｄのような分布になる。したがって、文字・網点領域に属すると判別された画素であって最大濃度差と文字・網点判定閾値との積よりも総和濃度繁雑度が大きいブロックの画素（注目画素）は、網点領域に属するものであると判別することが可能である。
【００３５】
文字領域は、図２（ｄ）に示すように、最大濃度差が大きく、それに伴い総和濃度繁雑度も大きくなるものの、網点領域よりも濃度変化が少ないため、網点領域よりも総和濃度繁雑度が小さくなる。特に、最大濃度差に対する総和濃度繁雑度の割合が小さくなるため、図３に示す領域Ｃのような分布になる。したがって、文字・網点領域に属すると判別された画素であって最大濃度差と文字・網点判定閾値との積よりも総和濃度繁雑度が小さいブロックの画素（注目画素）は、文字領域に属するものであると判別することが可能である。
【００３６】
上述したように、下地領域および印画紙写真領域は、最大濃度差および総和濃度繁雑度が文字領域および網点領域に比べて小さくなる。したがって、最大濃度差を最大濃度差閾値（第１最大濃度差閾値ＴＨｄ１）と比較するとともに、総和濃度繁雑度を総和濃度繁雑度閾値（第１総和濃度繁雑度閾値ＴＨｂ１）と比較することにより、原稿種別自動判別部１３では、注目画素が下地・印画紙領域と文字・網点領域とのいずれに属するかを判別することが可能となる。
【００３７】
新聞原稿判別部１４は、原稿画像が新聞原稿のものか否かを判定し、この判定結果を示す新聞原稿判定信号を出力する。この判定は、原稿画像の網点領域の線数を検出することにより行い、網点領域の線数が新聞特有の線数である６０線もしくは７５線のいずれかであれば、原稿（画像画像）を新聞原稿と判別する。
【００３８】
これら、原稿種別自動判別部１３および新聞原稿判別部１４で生成された原稿種別判定信号および原稿種別判定信号は、入力階調補正部１５、色補正部１７、黒生成下色除去部１８、空間フィルタ処理部１９、階調再現処理部２１に出力される。
【００３９】
入力階調補正部１５は、原稿種別判定信号が示す原稿種別に応じて、下地濃度の除去やコントラストなどの画質調整処理を行う。
【００４０】
領域分離処理部１６は、ＲＧＢ信号より、入力画像中の各画素を文字領域、網点領域、写真（印画紙写真）領域のいずれかに分離するものである。領域分離処理部１６は、分離結果に基づき、画素がどの領域に属しているかを示す領域識別信号を、色補正部１７、黒生成下色除去部１８、空間フィルタ処理部１９、および階調再現処理部２１に出力する。また、入力階調補正部１５からの入力信号をそのまま後段の色補正部１７に出力する。
【００４１】
色補正部１７は、領域分離処理部１６から入力されたＲＧＢ信号をＣＭＹ（Ｃ：シアン・Ｍ：マゼンタ・Ｙ：イエロー）信号に変換する。この際、色再現を忠実に行うために、不要吸収成分を含むＣＭＹ色材の分光特性に基づいた色濁りを取り除く処理を行う。また、原稿種別判定信号が示す原稿種別、新聞原稿判定信号が示す新聞原稿であるか否かの種別、および領域識別信号が示す領域種別に適合した色補正テーブルを使用して色補正を行う。
【００４２】
このために、色補正部１７は、写真用色補正テーブル、文字（下地除去無）用色補正テーブル、自動露光（下地除去有）用色補正テーブルおよび新聞文字用色補正テーブルを備えている。なお、自動露光（下地除去有）用色補正テーブルは文字（下地除去有）用色補正テーブルに相当する。図４は従来の色補正ＴＢＬを示し、図４（ａ）には写真用色補正テーブルの、図４（ｂ）には文字（下地除去有）用色補正テーブルの、図４（ｃ）には文字（下地除去無）用色補正テーブルの入力（ＲＧＢ）と出力（ＣＭＹ）との関係を示す。また、図５は本実施の形態で用いられる色補正ＴＢＬを示し、図５には（１）写真用色補正テーブル、（２）文字（下地除去無）用色補正テーブル、（３）自動露光（下地除去有）用色補正テーブルおよび（４）新聞文字用（下地除去有）色補正テーブルの相互における入力（ＲＧＢ）と出力（ＣＭＹ）との関係を示す。
【００４３】
ここで、図６（ａ）には新聞以外の一般の文字原稿における文字の濃度変化を示し、図６（ｂ）には新聞（文字）原稿すなわち文字のみからなる新聞原稿における文字の濃度変化を示す。これらの図から分かるように、文字のエッジにおける濃度変化は、文字原稿（図６（ａ））では急峻になっているのに対して、新聞（文字）原稿の場合にはなだらかになっている。このため、新聞（文字）原稿に対して文字原稿と同一の下地除去処理を行うことは好ましくない。なぜなら、そのような処理を行った場合、新聞（文字）原稿における文字のエッジのぼやけが強調され、却って視覚上における文字の鮮明さが低下する。そこで、文字原稿と新聞（文字）原稿とでは、下地が有りこれを除去する場合に、異なる処理を行うようになっている。
【００４４】
図７には原稿種別に応じた、下地が有る場合における色補正部１７での下地除去処理の有無を示す。同図から分かるように、原稿種別が文字原稿である場合および新聞（文字）原稿）である場合には、下地除去処理が行われ、他の原稿種別では下地除去処理が行われない。但し、上記のように、下地除去処理は文字原稿と新聞（文字原稿）とで異なる。
【００４５】
図８には、原稿種別に応じた、自動露光処理の有無、色補正部１７での色補正処理、空間フィルタ処理部１９でのフィルタ処理を示す。同図から分かるように、本実施の形態では、従来の自動露光処理を原稿画像（原稿画像データ）が文字原稿の場合であって下地がある場合にのみ行い、新聞（文字）原稿の場合には行わない。また、色補正部１７では、原稿種別が新聞（文字）原稿であって、下地有りの場合に新聞用色補正テーブルを使用する。新聞（その他）原稿、文字原稿の下地無しの場合、網点原稿および写真原稿の場合は、同図に記載のとおりである。なお、上記新聞（その他）には、新聞（文字＋網点又は写真など）原稿および新聞（写真）原稿が含まれる。
【００４６】
なお、原稿種別が新聞（文字）および新聞（その他）の場合には新聞紙の灰色の下地が存在する。したがって、図８において下地無しに対して自動露光を行う場合が存在せず、この場合を斜線にて示している。
【００４７】
また、原稿種別が新聞（文字）である場合に色補正において使用する新聞文字用色補正テーブルは、下地除去有りの場合に使用するものであり、下地除去無しの場合には文字（下地除去無）用色補正テーブルを使用する。また、原稿種別が文字である場合に色補正において使用する文字色補正テーブルは、下地除去無しの場合は文字（下地除去無）用色補正テーブルであり、下地除去有りの場合は自動露光（下地除去有）用色補正テーブルである。
【００４８】
黒生成下色除去部１８は、色補正後のＣＭＹの３色信号から黒（Ｋ）信号を生成する黒生成処理、および元のＣＭＹ信号から黒生成で得たＫ信号を差し引いて新たなＣＭＹ信号を生成する処理を行い、ＣＭＹの３色信号をＣＭＹＫの４色信号に変換する。
【００４９】
黒生成処理の一例として、スケルトンブラックによる黒生成を行う方法（一般的方法）がある。この方法では、スケルトンカーブの入出力特性をｙ＝ｆ（ｘ）、入力されるデータをＣ，Ｍ，Ｙ、出力されるデータをＣ'，Ｍ'，Ｙ'，Ｋ'、ＵＣＲ（Under Color Removal）率をα（０＜α＜１）とすると、黒生成下色除去処理は以下の式（１）で表わされる。
【００５０】
Ｋ’＝ｆ｛ｍｉｎ（Ｃ，Ｍ，Ｙ）｝
Ｃ’＝Ｃ−αＫ’
Ｍ’＝Ｍ−αＫ’
Ｙ’＝Ｙ−αＫ’                        （１）
空間フィルタ処理部１９は、黒生成下色除去部１８から入力されるＣＭＹＫ信号の画像データに対して、領域識別信号が示す領域と原稿種別判定信号および新聞原稿判定信号が示す判定結果とに応じて、文字の強調や平滑化など、デジタルフィルタによる空間フィルタ処理を行う。これにより、空間周波数特性を補正し、出力画像のぼやけや粒状性劣化を防ぐ。
【００５１】
具体的には、図８に示すように、原稿種別が新聞（文字）である場合には新聞用文字強調フィルタを使用し、原稿種別が新聞（その他）である場合にはフィルタを使用せず、原稿種別が文字の場合には新聞以外用文字強調フィルタを使用し、原稿種別が網点である場合には網点用平滑フィルタを使用し、原稿種別が写真である場合には写真用平滑フィルタを使用する。
【００５２】
図９には上記の各フィルタの一例を示す。すなわち、図９（ａ）は網点用平滑フィルタを示す説明図、図９（ｂ）は写真用平滑フィルタを示す説明図、図９（ｃ）は新聞用文字強調フィルタを示す説明図、図９（ｄ）は新聞以外用文字強調フィルタを示す説明図である。
【００５３】
上記の各フィルタでは、５×５（画素）の中心が注目画素であり、その注目画素の周囲２画素までを数値で重み付けして参照する。また、各フィルタにおける処理は下記の数式（２）のとおりである。
【００５４】
【数１】
2008205652.tif 000003
【００５５】
出力階調補正部２０は、空間フィルタ処理部１９から出力されたＣＭＹＫ信号からなる画像データに対して中間調補正（γ補正）を行う。例えば、濃度信号などの信号をカラー画像出力装置３の特性値である網点面積率に変換する出力階調補正処理を行う。
【００５６】
階調再現処理部２１は、出力階調補正部２０から出力されたＣＭＹＫ信号からなる画像データからディザマトリックスデータや誤差拡散データなどの中間調データを生成する。ここでは、最終的に画像を画素に分離してそれぞれの階調を再現できるように処理する。
【００５７】
操作パネル４は、例えば、液晶ディスプレイなどの表示部（図示せず）と設定ボタンなどから構成され、操作パネル４より入力された情報に基づいてカラー画像入力装置１、カラー画像処理装置２、カラー画像出力装置３の動作が制御される。
【００５８】
カラー画像処理装置２にて各処理が施された画像データは、一旦記憶手段に記憶され、所定のタイミングで読み出されてカラー画像出力装置３に入力される。このカラー画像出力装置３は、画像データを記録媒体（例えば紙等）上に出力するもので、例えば、電子写真方式やインクジェット方式を用いたカラー画像出力装置等を挙げることができるが特に限定されるものではない。尚、以上の処理は図示しないＣＰＵ（Central Processing Unit）により制御される。
【００５９】
上記の構成において、本実施の形態におけるデジタルカラー複写機の動作を図１０〜図１２のフローチャートに基づいて以下に説明する。なお、図１０はデジタルカラー複写機の動作を示すフローチャート、図１１は図１０に示したＳ８における領域分離／色補正処理の詳細を示すフローチャート、図１２は図１０に示したＳ１０における空間フィルタ処理の詳細を示すフローチャートである。
【００６０】
デジタルカラー複写機では、カラー画像入力装置１によって原稿画像の読み取りが行われ（Ｓ１）、これによって得られたＲＧＢの画像データがカラー画像処理装置２に入力される。
【００６１】
上記画像データは、Ａ／Ｄ変換部１１にてデジタル信号に変換され、シェーディング補正部１２にて処理された後、原稿種別自動判別部１３において原稿種別が判定される（Ｓ２）。原稿種別自動判別部１３では原稿種別判定結果に応じて色補正テーブルを選択するとともに領域識別結果に応じて空間フィルタを選択する。また、原稿種別自動判別部１３は、原稿種別の判定結果を示す原稿種別判定信号を出力階調補正部２０を除く入力階調補正部１５以降の各部に出力する。
【００６２】
次に、新聞原稿判別部１４では原稿種別自動判別部１３から出力された画像データに基づいて、原稿が新聞原稿か否かを判定する。このために、新聞原稿判別部１４では、原稿画像の線数を求め（Ｓ４）、線数が６０または７５であればその原稿の原稿種別を新聞と判定し（Ｓ６）、線数が６０または７５でなければ新聞原稿以外の原稿と判定する。このように、新聞原稿は一定の線数を有しているので、原稿の線数を調べることにより、新聞原稿か否かを判定することができる。この判定結果を示す新聞原稿判定信号は、原稿種別判定信号と同様に、出力階調補正部２０を除く、入力階調補正部１５以降の各部に出力される。
【００６３】
次に、新聞原稿判別部１４から出力された画像データは入力階調補正部１５にて処理された後に（Ｓ７）、領域分離処理部１６に入力され、その後色補正部１７に入力される。これら領域分離処理部１６および色補正部１７では領域分離／色補正処理が行われる（Ｓ８）。
【００６４】
領域分離処理部１６および色補正部１７にて処理された画像データは、黒生成下色除去部１８にて処理された後（Ｓ９）、空間フィルタ処理部１９にて空間フィルタを使用して処理される（Ｓ１０）。
【００６５】
次に、空間フィルタ処理部１９にて処理された画像データは、出力階調補正部２０での出力階調補正（Ｓ１１）、および階調再現処理部２１での階調再現処理（Ｓ１２）を経て、カラー画像出力装置３に出力され、このカラー画像出力装置３において可視像として出力される（Ｓ１３）。
【００６６】
ここで、Ｓ８の領域分離／色補正処理を図１１のフローチャートに基づいて以下に説明する。この処理においては、新聞原稿判定信号に基づいて画像データの原稿種別が新聞か否かを確認し（Ｓ２１）、原稿種別が新聞であれば、さらに原稿種別判定信号に基づいて画像データの原稿種別が文字であるか否かを確認する（Ｓ２２）。
【００６７】
Ｓ２２において画像データの原稿種別が文字であれば、下地を除去するか否かを判定する（Ｓ２３）。色補正部１７では、Ｓ２３の判定により下地を除去する場合には、新聞文字用色補正テーブルを選択し（Ｓ２４）、色補正処理を行う（Ｓ２５）。一方、Ｓ２３の判定により下地を除去しない場合には、文字用色補正テーブルを選択し（Ｓ２６）、色補正処理を行う（Ｓ２５）。
【００６８】
なお、Ｓ２３の判定は、例えば操作パネル４からのユーザ設定に基づいて行う。また、ユーザ設定がない場合には、原稿種別が新聞（文字）の場合には新聞生地の下地があるので、図７の設定に従い、新聞文字用色補正テーブルを使用して下地除去を行う。
【００６９】
また、Ｓ２１において原稿種別が新聞でない場合であっても、例えば操作パネル４からのユーザ入力により、原稿種別が新聞と指定されている場合には（Ｓ２７）、原稿種別を新聞としてＳ２２に進む。
【００７０】
また、Ｓ２２において原稿種別が文字（新聞（文字）でない場合、すなわち新聞（その他）である場合、色補正部１７は写真用色補正テーブルを選択し（Ｓ２８）、色補正処理を行う（Ｓ２５）。
【００７１】
また、原稿種別が新聞ではなく（Ｓ２１、Ｓ２７）、領域識別信号が示す領域が文字でない場合（Ｓ２９）、色補正部１７は写真用色補正テーブルを選択し（Ｓ２８）、色補正処理を行う（Ｓ２５）。
【００７２】
また、Ｓ２９において領域識別信号が示す領域が文字の場合であって、下地を除去する場合（Ｓ３０）、色補正部１７は自動露光用色補正テーブルを選択し（Ｓ３１）、色補正処理を行う（Ｓ２５）。
【００７３】
また、Ｓ３０において下地を除去しない場合、色補正部１７は文字用色補正テーブルを選択し（Ｓ３２）、色補正処理を行う（Ｓ２５）。
【００７４】
なお、Ｓ３０における下地除去処理の有無の選択は、Ｓ２３の場合と同様、例えば操作パネル４からのユーザ設定により可能である。
【００７５】
次に、Ｓ１０の空間フィルタ処理を図１２のフローチャートに基づいて以下に説明する。空間フィルタ処理部１９では、領域が文字であり（Ｓ３１）、かつ領域が新聞である場合に（Ｓ３２）、新聞用文字強調フィルタを選択し（Ｓ３３）、空間フィルタ処理を行う（Ｓ３４）。
【００７６】
また、領域が文字であり（Ｓ３１）、かつ領域が新聞でない場合に（Ｓ３２）、新聞以外用文字強調フィルタを選択し（Ｓ３４）、空間フィルタ処理を行う（Ｓ３４）。
【００７７】
また、領域が文字でなく（Ｓ３１）、かつ領域が網点である場合に（Ｓ３６）、網点用平滑フィルタを選択し（Ｓ３７）、空間フィルタ処理を行う（Ｓ３４）。
【００７８】
また、領域が文字でなく（Ｓ３１）、かつ領域が網点でなく（Ｓ３６）、かつ領域が写真である場合に（Ｓ３８）、写真用平滑フィルタを選択し（Ｓ３９）、空間フィルタ処理を行う（Ｓ３４）。
【００７９】
また、領域が文字でなく（Ｓ３１）、かつ領域が網点でなく（Ｓ３６）、かつ領域が写真でない場合には（Ｓ３８）、フィルタを使用しない（Ｓ４０）。したがって、この場合には空間フィルタ処理を行わない。
【００８０】
以上のように、本実施の形態の画像処理装置では、新聞（文字）原稿、すなわち原稿種別が新聞かつ原稿種別が文字の原稿に対して下地除去を行う場合には、新聞以外の文字原稿において下地除去に使用する文字用色補正テーブルとは異なる新聞文字用色補正テーブルを使用する。上記文字用色補正テーブルは従来の自動露光処理に使用されるものである。一方、新聞文字用色補正テーブルは、上記文字用色補正テーブルよりも、文字のエッジ部の濃度変化がなだらかとなるように処理するものである。あるいは、文字のエッジ部の濃度が変化する領域の幅が広くなるように処理するものである。これにより、本実施の形態の画像処理装置では、新聞（文字）原稿を処理した場合において、出力画像における視覚上の文字の鮮明さの低下を防止することができる。
【００８１】
本発明はコンピュータに実行させるためのプログラムを記録したコンピュータ読み取り可能な記録媒体に、上記した画像処理方法を記録するものとすることもできる。これにより、原稿種別の判別を行う画像処理方法を行うプログラムを記録した記録媒体を持ち運び自在に提供することができる。
【００８２】
なお、本実施の形態では、この記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【００８３】
いずれの場合においても、格納されているプログラムはマイクロプロセッサがアクセスして実行させる構成であっても良いし、あるいは、いずれの場合もプログラムを読み出し、読み出されたプログラムは、マイクロコンピュータの図示されていないプログラム記憶エリアにダウンロードされて、そのプログラムが実行される方式であってもよい。このダウンロード用のプログラムは予め本体装置に格納されているものとする。
【００８４】
ここで、上記プログラムメディアは、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する媒体であっても良い。
【００８５】
また、本実施の形態においては、インターネットを含む通信ネットワークを接続可能なシステム構成であることから、通信ネットワークからプログラムをダウンロードするように流動的にプログラムを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。
【００８６】
上記記録媒体は、デジタルカラー画像形成装置やコンピュータシステムに備えられるプログラム読み取り装置により読み取られることで上述した画像処理方法が実行される。
【００８７】
コンピュータシステムは、フラットベッドスキャナ・フィルムスキャナ・デジタルカメラなどの画像入力装置、所定のプログラムがロードされることにより上記画像処理方法など様々な処理が行われるコンピュータ、コンピュータの処理結果を表示するＣＲＴディスプレイ・液晶ディスプレイなどの画像表示装置およびコンピュータの処理結果を紙などに出力するプリンタより構成される。さらには、ネットワークを介してサーバーなどに接続するための通信手段としてのネットワークカードやモデムなどが備えられる。
【００８８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８９】
本発明は、入力画像に対する画像処理機能を備えた機器、例えばカラーコピー機、フラットベッドスキャナ、フィルムスキャナ、デジタルカメラ等にも適用できる。
【図面の簡単な説明】
【００９０】
【図１】本発明の実施の一形態における画像処理装置を備えたデジタルカラー複写機の概略構成を示すブロック図である。
【図２】図２（ａ）は下地領域の最大濃度差と濃度を有する領域の分布とを示す説明図、図２（ｂ）は印画紙領域における同説明図、図２（ｃ）は網点領域における同説明図、図２（ｄ）は文字領域における同説明図である。
【図３】図２に示した各領域についての最大濃度差と総和濃度繁雑度との関係を示すグラフである。
【図４】図４（ａ）は写真用色補正テーブルの入力（ＲＧＢ）と出力（ＣＭＹ）との関係を示すグラフ、図４（ｂ）は文字（下地除去有）用色補正テーブルの入力（ＲＧＢ）と出力（ＣＭＹ）との関係を示すグラフ、図４（ｃ）は文字（下地除去無）用色補正テーブルの入力（ＲＧＢ）と出力（ＣＭＹ）との関係を示す説明図である。
【図５】写真用色補正テーブル、文字（下地除去無）用色補正テーブル、自動露光（下地除去有）用色補正テーブルおよび新聞文字用（下地除去有）色補正テーブルの相互における入力（ＲＧＢ）と出力（ＣＭＹ）との関係を示す説明図である。
【図６】図６（ａ）は新聞以外の一般の文字原稿における文字の濃度変化を示すグラフ、図６（ｂ）は新聞（文字）原稿における文字の濃度変化を示すグラフである。
【図７】図１に示した色補正部での原稿種別に応じた下地除去処理の有無を示す説明図である。
【図８】図１に示したカラー画像処理装置における原稿種別に応じた自動露光処理の有無、色補正処理およびフィルタ処理を示す説明図である。
【図９】図９（ａ）は図１に示した空間フィルタ処理部が備える網点用平滑フィルタを示す説明図、図９（ｂ）は同空間フィルタ処理部が備える写真用平滑フィルタを示す説明図、図９（ｃ）は同空間フィルタ処理部が備える新聞用文字強調フィルタを示す説明図、図９（ｄ）は同空間フィルタ処理部が備える新聞以外用文字強調フィルタを示す説明図である。
【図１０】図１に示したデジタルカラー複写機の動作を示すフローチャートである。
【図１１】図１０に示したＳ８における領域分離／色補正処理の詳細を示すフローチャートである。
【図１２】図１０に示したＳ１０における空間フィルタ処理の詳細を示すフローチャートである。
【符号の説明】
【００９１】
２    カラー画像処理装置
４    操作パネル（入力手段）
１３    原稿種別自動判別部（原稿種別判別手段）
１４    新聞原稿判別部（新聞原稿判別手段）
１５    入力階調補正部
１６    領域分離処理部（下地領域判別手段）
１７    色補正部（下地処理手段）
１９    空間フィルタ処理部（フィルタ処理手段）
【図１】
2008205652.tif 000004
【図２】
2008205652.tif 000005
【図３】
2008205652.tif 000006
【図４】
2008205652.tif 000007
【図５】
2008205652.tif 000008
【図６】
2008205652.tif 000009
【図７】
2008205652.tif 000010
【図８】
2008205652.tif 000011
【図９】
2008205652.tif 000012
【図１０】
2008205652.tif 000013
【図１１】
2008205652.tif 000014
【図１２】
2008205652.tif 000015